(57)【要約】【課題】主に、大きさに差のない２つの屋根ユニットに対する輸送の効率化を図り得るようにする。【解決手段】小屋組部７の上に第１の屋根パネル８Ｂを取付けて、全体を側面視略三角形状に形成した第１の屋根ユニット４Ｂと、  第１の屋根パネル８Ｂ（の幅寸法Ｗ１）と同等の幅寸法Ｗ２を有して、第２の屋根ユニット４Ｃを構成する第２の屋根パネル８Ｃとを、  第１の屋根パネル８Ｂの水上側の端部２２と第２の屋根パネル８Ｃの端部２３との位置を揃えて平行に重ねた状態で、屋根ユニット輸送用金具２４を用いて一体に連結して屋根ユニット構造体２１を構成する。【選択図】図２
2020016033.tif 000002
【特許請求の範囲】
【請求項１】
小屋組部の上に第１の屋根パネルを取付けて、全体を側面視略三角形状に形成した第１の屋根ユニットと、前記第１の屋根パネルと同等の幅寸法を有して、第２の屋根ユニットを構成する第２の屋根パネルとを、前記第１の屋根パネルの水上側の端部と前記第２の屋根パネルの端部との位置を揃えて平行に重ねた状態で、屋根ユニット輸送用金具を用いて一体に連結したことを特徴とする屋根ユニット構造体。
【請求項２】
小屋組部の上に第１の屋根パネルを取付けて、全体を側面視略三角形状に形成した第１の屋根ユニットにおける、前記第１の屋根パネルに取付可能なユニット側取付金具と、前記第１の屋根パネルと同等の幅寸法を有して、第２の屋根ユニットを構成する第２の屋根パネルに取付可能なパネル側取付金具とを有し、該パネル側取付金具と前記ユニット側取付金具とは、前記第１の屋根パネルの水上側の端部と前記第２の屋根パネルの端部との位置を揃えて平行に重ねた状態で互いに連結するものであることを特徴とする屋根ユニット輸送用金具。
【請求項３】
請求項２に記載の屋根ユニット輸送用金具において、
前記ユニット側取付金具と前記パネル側取付金具との間には、前記第１の屋根パネルと前記第２の屋根パネルとを、端部の位置を揃えて平行に重ねた状態に位置決めする位置決め部が備えられていることを特徴とする屋根ユニット輸送用金具。
【請求項４】
請求項２または請求項３に記載の屋根ユニット輸送用金具において、
前記パネル側取付金具は、前記第１の屋根パネルと前記第２の屋根パネルとの幅寸法の差を補完可能な補完部を備えていることを特徴とする屋根ユニット輸送用金具。
【請求項５】
小屋組部の上に第１の屋根パネルを取付けて、全体を側面視略三角形状に形成した第１の屋根ユニットと、前記第１の屋根パネルと同等の幅寸法を有して、第２の屋根ユニットを構成する第２の屋根パネルとを、前記第１の屋根パネルの水上側の端部と前記第２の屋根パネルの端部との位置を揃えて平行に重ねて屋根ユニット輸送用金具を用いて一体に連結した状態で、前記第１の屋根ユニットを建物据付姿勢に対して９０°回転させた起立姿勢にして、前記第１の屋根ユニットと前記第２の屋根パネルとを同時に輸送することを特徴とする屋根ユニット輸送方法。
【請求項６】
小屋組部の上に第１の屋根パネルを取付けて、全体を側面視略三角形状に形成した第１の屋根ユニットと、前記第１の屋根パネルと同等の幅寸法を有して、第２の屋根ユニットを構成する第２の屋根パネルとを、前記第１の屋根パネルの水上側の端部と前記第２の屋根パネルの端部との位置を揃えて平行に重ねて屋根ユニット輸送用金具を用いて一体に連結した状態で、前記第１の屋根ユニットと前記第２の屋根パネルとを同時に建築現場へ輸送し、建築現場に設置された建物ユニットの上部に前記第１の屋根ユニットを設置すると共に、別の建物ユニットの上部にて、前記第２の屋根パネルを用いて前記第２の屋根ユニットを構築して、該第２の屋根ユニットを前記別の建物ユニットの上部に設置することを特徴とする屋根施工方法。
【発明の詳細な説明】
【技術分野】
【０００１】
この発明は、屋根ユニット構造体、屋根ユニット輸送用金具、屋根ユニット輸送方法、および、屋根施工方法に関するものである。
【背景技術】
【０００２】
住宅などの建物には、ユニット工法によって構築されたもの（ユニット建物）がある。このユニット工法は、予め工場で製造された建物ユニットや屋根ユニットを建築現場へ輸送して、建築現場で組み立てることにより、短期間で建物（ユニット建物）を構築できるようにしたものである。
【０００３】
このような、ユニット建物では、建物本体を構成する建物ユニットや、屋根を構成する屋根ユニットを建築現場へ効率的に輸送することが、工期の短縮やコストダウンなどを図る上で重要になる。
【０００４】
従来の屋根ユニットの輸送手段には、幅寸法の大きい屋根ユニットの内側に、幅寸法の小さい屋根ユニットを入り込ませた状態で、大きい屋根ユニットと小さい屋根ユニットとをトラックで一緒に輸送するものが存在している（例えば、特許文献１参照）。
【先行技術文献】
【特許文献】
【０００５】
【特許文献１】特開２０１０−２５５２５７号公報
【発明の概要】
【発明が解決しようとする課題】
【０００６】
しかしながら、上記特許文献１に記載された輸送手段は、大きい屋根ユニットと小さい屋根ユニットとの間に、小さい屋根ユニットを大きい屋根ユニットの内側に入り込ませられるだけの十分な大きさの差がなければならず、大きさにあまり差のない屋根ユニットどうしには適用できないなどの問題があった。
【０００７】
そこで、本発明は、主に、上記した問題点を解決することを目的としている。
【課題を解決するための手段】
【０００８】
上記課題を解決するために、本発明は、小屋組部の上に第１の屋根パネルを取付けて、全体を側面視略三角形状に形成した第１の屋根ユニットと、前記第１の屋根パネルと同等の幅寸法を有して、第２の屋根ユニットを構成する第２の屋根パネルとを、前記第１の屋根パネルの水上側の端部と前記第２の屋根パネルの端部との位置を揃えて平行に重ねた状態で、屋根ユニット輸送用金具を用いて一体に連結した屋根ユニット構造体などを特徴とする。
【発明の効果】
【０００９】
本発明によれば、上記構成によって、大きさに差のない２つの屋根ユニットに対する輸送の効率化を図ることなどができる。
【図面の簡単な説明】
【００１０】
【図１】本実施の形態にかかる建物ユニットの一部分解した斜視図である。
【図２】屋根ユニット構造体の側面図である。
【図３】第１の屋根ユニットに第２の屋根パネルを設置して屋根ユニット構造体を形成する状態を示す斜視図である。
【図４】第２の屋根パネルの製造工程図である。このうち、（ａ）は第１工程、（ｂ）は第２工程、（ｃ）は第３工程、（ｄ）は第４工程である。
【図５】図３の屋根ユニット輸送用金具の拡大図である。このうち、（ａ）は連結前の状態、（ｂ）は連結している状態である。
【図６】図５の正面図である。このうち、（ａ）は連結前の状態、（ｂ）は連結後の状態である。
【図７】図５の側方断面図である。このうち、（ａ）は連結前の状態、（ｂ）は連結後の状態である。
【図８】屋根ユニット輸送用金具の変形例の図５と同様の拡大図である。このうち、（ａ）は連結前の状態、（ｂ）は連結している状態である。
【図９】図８の正面図である。このうち、（ａ）は連結前の状態、（ｂ）は連結後の状態である。
【図１０】図８の側方断面図である。このうち、（ａ）は連結前の状態、（ｂ）は連結後の状態である。
【図１１】屋根ユニット構造体をトラックの荷台に搭載して輸送する状態を示す側面図である。
【図１２】建築現場で第２の屋根ユニットの妻小壁を建込んでいる様子を示す斜視図である。
【図１３】（ａ）は図１２のＡ部の断面図、（ｂ）は図１２のＢ部の断面図である。
【図１４】建築現場で第２の屋根ユニットの桁トラスを建込んでいる様子を示す斜視図である。
【図１５】図１４のＣ部の部分拡大斜視図である。
【図１６】建築現場で第２の屋根ユニットの第２の屋根パネルを設置している様子を示す斜視図である。
【図１７】（ａ）は図１６のＤ部の断面図、（ｂ）はＥ部の断面図、（ｃ）はＦ部の断面図、（ｄ）はＧ部の断面図である。
【発明を実施するための形態】
【００１１】
以下、本実施の形態を、図面を用いて詳細に説明する。
図１〜図１７は、この実施の形態を説明するためのものである。
【実施例１】
【００１２】
＜構成＞以下、構成について説明する。
【００１３】
図１に示すように、住宅などの建物１を、ユニット工法によって構築する。このユニット工法は、予め工場で製造された建物ユニット２や屋根ユニット４を建築現場３へ輸送して、建築現場３で組み立てることにより、短期間で建物１（ユニット建物６）を構築できるようにするものである。
【００１４】
ユニット建物６は、例えば、複数の建物ユニット２の上にそれぞれ屋根ユニット４を設置したものとされる。この図では、屋根ユニット４は、中央の棟屋根ユニット４Ａと、その両側の軒屋根ユニット４Ｂ，４Ｃとを妻方向Ｘに並べて成る列を、桁方向Ｙに一列または複数列有するものとなっており、全体として切妻屋根を構成している。
【００１５】
棟屋根ユニット４Ａは、小屋組部７の上に山形の屋根パネル８Ａを取付けたものとなっている。軒屋根ユニット４Ｂ，４Ｃは、小屋組部７の上に平坦な屋根パネル８Ｂ，８Ｃを傾斜状態で取付けたものとなっている。小屋組部７は、主に、妻方向Ｘへ向いた妻小壁１１と、桁方向Ｙへ向いた桁トラス１２とで構成されている。棟屋根ユニット４Ａの場合、桁トラス１２は、両側に設置される。軒屋根ユニット４Ｂ，４Ｃの場合、桁トラス１２は、片側（水上側）に設置される。
【００１６】
軒屋根ユニット４Ｂ，４Ｃでは、妻小壁１１は、建物ユニット２Ｂ，２Ｃの上部に当接配置される水平な辺と、水上側に位置する垂直な辺と、屋根パネル８Ｂ，８Ｃの傾斜に沿った斜辺とを有するほぼ直角三角形状のパネルとなっている。桁トラス１２は、ほぼ矩形状をしたパネル枠となっている。屋根パネル８Ｂ，８Ｃは、それぞれ棟屋根ユニット４Ａの山形の屋根パネル８Ａと面一な状態で連続されると共に、軒先側の端部に、小屋組部７から突出するように外方に延びる軒部１３を有することができる。これらにより、軒屋根ユニット４Ｂ，４Ｃは、側面視略三角形状に構成されている。但し、ユニット建物６における、建物ユニット２や屋根ユニット４の構成は、上記に限るものではない。
【００１７】
そして、上記に対し、この実施例は、以下のような構成を備えている。
【００１８】
（Ａ）屋根ユニット構造体２１について
図２（図３）に示すように、小屋組部７の上に第１の屋根パネル８Ｂを取付けて、全体を側面視略三角形状に形成した第１の屋根ユニット４Ｂと、第１の屋根パネル８Ｂ（の幅寸法Ｗ１）と同等の幅寸法Ｗ２を有して（図３）、第２の屋根ユニット４Ｃ（図１）を構成する第２の屋根パネル８Ｃとを設ける。
第１の屋根ユニット４Ｂと第２の屋根パネル８Ｃとを、第１の屋根パネル８Ｂの水上側の端部２２と第２の屋根パネル８Ｃの端部２３との位置を揃えて平行に重ねた状態で、屋根ユニット輸送用金具２４を用いて一体に連結して屋根ユニット構造体２１を構成する。
【００１９】
ここで、都合上、ユニット建物６を、棟屋根ユニット４Ａを用いずに、２つの軒屋根ユニット４Ｂ，４Ｃによって切妻屋根を構成するものとして説明する（図１６参照）。この場合、図１の軒屋根ユニット４Ｂ，４Ｃを、それぞれ第１の屋根ユニット４Ｂおよび第２の屋根ユニット４Ｃとする。これらは同じ規格寸法で形成された建物ユニット２（建物ユニット２Ｂおよび別の建物ユニット２Ｃ）の上にそれぞれ設置するものとされる。なお、この実施例にかかる屋根ユニット構造体２１は、片流れ屋根、桁切妻屋根、寄棟屋根、葺降し屋根(桁)などの屋根に対しては適用しない。
【００２０】
同等の幅寸法Ｗ１，Ｗ２とは、第１の屋根パネル８Ｂと第２の屋根パネル８Ｃの桁方向Ｙの寸法が同じか、または、ほぼ同じことである（Ｗ１＝Ｗ２またはＷ１≒Ｗ２、但し、Ｗ１≒Ｗ２の場合にはＷ１＞Ｗ２）。この実施例にかかる屋根ユニット構造体２１は、既存の方法では組み合わせができないような僅かな寸法差を有する２つの大型の屋根ユニット４Ｂ，４Ｃの間に適用されるものである。
【００２１】
なお、既存の方法には、大きさに十分な差のある２つの屋根ユニット４を、幅寸法の大きい屋根ユニット４の内側に、幅寸法の小さい屋根ユニット４を入り込ませた状態に入れ子式に組み合わせるものや、十分に小型の２つの屋根ユニット４のうちの一方を上下反転させると共に、屋根パネル８どうしが面接触するように向きを整えて他方の屋根ユニット４の上に乗せることで上下に組み合わせるものなどがある。
【００２２】
そして、第１の屋根ユニット４Ｂは、工場にて製造される。また、第２の屋根パネル８Ｃは、工場にて、以下の工程により製造される。まず、図４（ａ）に示すように、第１工程（枠組工程）で横材３１や垂木３２などを組み合わせて（野地面が上向きとなる状態で）パネル枠３３を作る。次に、図４（ｂ）に示すように、第２工程（金具取付工程）で垂木３２にハリケーンタイ３４（固定金具）を仮固定する。そして、図４（ｃ）に示すように、第３工程（面材取付工程）でパネル枠３３の野地面に野地板３５や防水シートなどの面材を取付ける。最後に、図４（ｄ）に示すように、第４工程（補助材取付工程）でパネル枠３３を反転させて、パネル枠３３の裏面側に小屋組部７を構築するための頭つなぎ材３７や桁構造材３８などの補助材を取付ける。桁構造材３８はハリケーンタイ３４を用いて垂木３２に取付けられる。但し、第２の屋根パネル８Ｃの製造工程は、上記に限るものではない。
【００２３】
更に、屋根ユニット構造体２１は、工場にて製造される。この際、第２の屋根パネル８Ｃは、水上側または軒先側の端部２３が、第１の屋根パネル８Ｂの水上側の端部２２の位置に揃えられる（図２）。特に、第２の屋根パネル８Ｃは、水上側の端部２３を第１の屋根パネル８Ｂの水上側の端部２２に揃えるのが好ましい。この際、第２の屋根パネル８Ｃの端部２３と、第１の屋根パネル８Ｂの水上側の端部２２は、第１の屋根ユニット４Ｂの妻小壁１１の水上側の辺とほぼ一直線に並べられる。
【００２４】
（Ｂ−１）屋根ユニット輸送用金具２４について
【００２５】
図５（〜図７）に示すように（図２、図３も併せて参照）、屋根ユニット輸送用金具２４は、（小屋組部７の上に第１の屋根パネル８Ｂを取付けて、全体を側面視略三角形状に形成した第１の屋根ユニット４Ｂにおける）第１の屋根パネル８Ｂに取付可能なユニット側取付金具４１と、（第１の屋根パネル８Ｂ（の幅寸法Ｗ１）と同等の幅寸法Ｗ２を有して、第２の屋根ユニット４Ｃを構成する）第２の屋根パネル８Ｃに取付可能なパネル側取付金具４２とを有する。
パネル側取付金具４２とユニット側取付金具４１とは、第１の屋根パネル８Ｂの水上側の端部２２と第２の屋根パネル８Ｃの端部２３との位置を揃えて平行に重ねた状態で互いに連結するものとされる。
【００２６】
ここで、屋根ユニット輸送用金具２４は、少なくとも、第１の屋根パネル８Ｂと第２の屋根パネル８Ｃの妻側の各側面に、所要の間隔を有して２箇所以上設けられる（図２、図３）。この実施例では、屋根ユニット輸送用金具２４の取付位置は、各側面の両端部近傍となっているが、これに限るものではない。
【００２７】
ユニット側取付金具４１は、第１の屋根パネル８Ｂの側部から第１の屋根パネル８Ｂと面直な方向（第２の屋根パネル８Ｃの側）へ延びる金具本体部４３を備えている。金具本体部４３は、主に、第１の屋根パネル８Ｂの側部と平行な面を有している。この面は、第１の屋根パネル８Ｂおよび第２の屋根パネル８Ｃの厚みと第１の屋根パネル８Ｂに対する第２の屋根パネル８Ｃの保持間隔４４とを足した程度の長さを有する平坦面とされている。この平坦面の両側縁部には、第１の屋根パネル８Ｂとは反対側へ屈曲された補強用の屈曲縁部４５（フランジ部）を形成することができる。
【００２８】
そして、ユニット側取付金具４１の金具本体部４３は、その一端側（基端側）が、第１の屋根パネル８Ｂの側部にボルト・ナットなどの締結固定具４６ａによって固定可能な固定部４３ａとなっている。固定部４３ａの第１の屋根パネル８Ｂ側の面にはスペーサ４７が一体的または別体に取付けられる。スペーサ４７は、金具本体部４３の幅寸法を長辺とし、第１の屋根パネル８Ｂの厚みを短辺とする長方形とほぼ同じ大きさかそれよりも若干小さいものとされ、金具本体部４３よりも厚肉に形成される。
【００２９】
ユニット側取付金具４１の金具本体部４３は、その他端側（先端側）が、パネル側取付金具４２の一端部（先端部）と重ね合わせた状態でボルト・ナットなどの締結固定具４６ｂによって互いに締結固定可能な締結部４３ｂとされている。なお、ユニット側取付金具４１やスペーサ４７には、適宜の位置にボルト穴が設けられる。
【００３０】
また、パネル側取付金具４２は、第２の屋根パネル８Ｃの側部およびユニット側取付金具４１の金具本体部４３（の締結部４３ｂ）と平行な面を備えた金具本体部４８を有している。この実施例では、パネル側取付金具４２は、第２の屋根パネル８Ｃの側部から第２の屋根パネル８Ｃと面直な方向（第１の屋根パネル８Ｂの側）へ延びる金具本体部４８を主に備えている。この実施例の金具本体部４８は、第２の屋根パネル８Ｃの厚みの２倍程度の長さを有する平坦面を有している。
【００３１】
パネル側取付金具４２の金具本体部４８は、その他端側（基端側）が、第２の屋根パネル８Ｃの側部にボルト・ナットなどの締結固定具４６ｃによって固定可能な固定部４８ａとなっている。
【００３２】
パネル側取付金具４２の金具本体部４８は、その一端側（先端側）が、ユニット側取付金具４１の締結部４３ｂに重ね合わせてボルト・ナットなどの締結固定具４６ｂによって互いに締結固定可能な締結部４８ｂとされている。締結部４８ｂの締結部４３ｂ側の面には、締結部４３ｂに当接可能なスペーサ４９が一体的または別体に取付けられる。スペーサ４９は、ユニット側取付金具４１のスペーサ４７とほぼ同様のものとすることができる。なお、パネル側取付金具４２やスペーサ４９には、適宜の位置にボルト穴が設けられる。
【００３３】
（Ｂ−２）ユニット側取付金具４１とパネル側取付金具４２との間には、第１の屋根パネル８Ｂと第２の屋根パネル８Ｃとを、端部２２，２３の位置を揃えて平行に重ねた状態で互いに位置決め可能な位置決め部５１を備えても良い。
【００３４】
ここで、位置決め部５１は、ユニット側取付金具４１の他端部（締結部４３ｂ）に形成された位置決め用の切込部５２と、パネル側取付金具４２の他端部（固定部４８ａ）から突設された位置決めピン５３とを有するものとなっている。切込部５２は、ユニット側取付金具４１の基端側へ向かって幅が小さくなる逆三角形状とされて、ユニット側取付金具４１の幅中央部に設けられている。位置決めピン５３はパネル側取付金具４２の幅中央部から面直外方へ向けて突設されている。そして、切込部５２に位置決めピン５３を嵌め合わせることで、第１の屋根パネル８Ｂの水上側の端部２２と第２の屋根パネル８Ｃの端部２３との位置が揃うように設定されている。
【００３５】
（Ｂ−３）図８（〜図１０）に示すように（図２、図３も併せて参照）、パネル側取付金具４２の変形例として、以下のようなパネル側取付金具５５を設けることができる。即ち、パネル側取付金具５５は、第１の屋根パネル８Ｂと第２の屋根パネル８Ｃとの幅寸法Ｗ１，Ｗ２の差（Ｗ１−Ｗ２）を補完可能な補完部５６を備えるようにしても良い。
【００３６】
ここで、補完部５６は、第１の屋根パネル８Ｂと第２の屋根パネル８Ｃとの間に僅かな幅寸法Ｗ１，Ｗ２の差（Ｗ１−Ｗ２）がある場合に、幅寸法Ｗ１，Ｗ２の差を補って支障なく連結させるために用いられるものである。
【００３７】
補完部５６を有するパネル側取付金具５５では、固定部４８ａと締結部４８ｂとが間隔を有して対向した状態に配置される。固定部４８ａと締結部４８ｂとは、つなぎ部４８ｃによって連結される。つなぎ部４８ｃは、第１の屋根パネル８Ｂと第２の屋根パネル８Ｃの幅寸法Ｗ１，Ｗ２の差と同じ長さ（Ｗ１−Ｗ２）に形成されることで補完部５６として機能する。これにより、パネル側取付金具５５は、側面視Ｕ字状の金具本体部４８を有するものとなる。
【００３８】
そして、つなぎ部４８ｃの長さの異なるパネル側取付金具５５を複数種類用意しておき、上記した幅寸法Ｗ１，Ｗ２の差（Ｗ１−Ｗ２）に応じて使い分けることで、幅寸法Ｗ１，Ｗ２の差（Ｗ１−Ｗ２）がある第１の屋根パネル８Ｂと第２の屋根パネル８Ｃとを容易に連結することができる。この場合、つなぎ部４８ｃがスペーサ４９の機能を備えているので、スペーサ４９は、設けても設けなくても良い。
【００３９】
固定部４８ａと締結部４８ｂとつなぎ部４８ｃとの間には、これらと直交する面を有する補強板部５７を設けることができる。パネル側取付金具５５のほぼ幅中央の位置などに位置決めピン５３の邪魔にならないように設置される。
【００４０】
（Ｃ）屋根ユニット輸送方法について
図２に示すように、小屋組部７の上に第１の屋根パネル８Ｂを取付けて、全体を側面視略三角形状に形成した第１の屋根ユニット４Ｂと、第１の屋根パネル８Ｂ（の幅寸法Ｗ１）と同等の幅寸法Ｗ２を有して、第２の屋根ユニット４Ｃを構成する第２の屋根パネル８Ｃとを、第１の屋根パネル８Ｂの水上側の端部２２と第２の屋根パネル８Ｃの端部２３との位置を揃えて平行に重ね、屋根ユニット輸送用金具２４を用いて一体に連結した状態にする。この状態で、第１の屋根ユニット４Ｂを建物据付姿勢に対して９０°回転させた起立姿勢にする。そして、図１１に示すように、第１の屋根ユニット４Ｂと第２の屋根パネル８Ｃとを同時に輸送する。
【００４１】
ここで、起立姿勢にした第１の屋根ユニット４Ｂおよび第２の屋根パネル８Ｃ（屋根ユニット構造体２１）は、起立姿勢のままトラック６１の荷台６２に積んで、ロープなどを用いて直接固定して輸送することができる。
【００４２】
なお、第２の屋根ユニット４Ｃの小屋組部７を構成する妻小壁１１については、予め工場で製造しておくと共に、トラック６１の荷台６２の空いたスペースに直接またはラックなどの輸送用架台６３を用いて搭載することで、輸送させるようにしても良い。また、第２の屋根ユニット４Ｃの小屋組部７を構成する桁トラス１２については、予め工場で製造しておくと共に、他の屋根ユニット４（例えば、第１の屋根ユニット４Ｂや他の屋根ユニット４）に仮固定しておくことで、他の屋根ユニット４と一緒に輸送させるようにしても良い。
【００４３】
（Ｄ）屋根施工方法について
図２に示すように、小屋組部７の上に第１の屋根パネル８Ｂを取付けて、全体を側面視略三角形状に形成した第１の屋根ユニット４Ｂと、第１の屋根パネル８Ｂ（の幅寸法Ｗ１）と同等の幅寸法Ｗ２を有して、第２の屋根ユニット４Ｃを構成する第２の屋根パネル８Ｃとを、第１の屋根パネル８Ｂの水上側の端部２２と第２の屋根パネル８Ｃの端部２３との位置を揃えて平行に重ねて屋根ユニット輸送用金具２４を用いて一体に連結した状態で、図１１に示すように、第１の屋根ユニット４Ｂと第２の屋根パネル８Ｃとを同時に建築現場３へ輸送する。
そして、図１２（〜図１７）に示すように、建築現場３に設置された建物ユニット２Ｂの上部に第１の屋根ユニット４Ｂを設置すると共に、別の建物ユニット２Ｃの上部にて、第２の屋根パネル８Ｃを用いて第２の屋根ユニット４Ｃを構築して、第２の屋根ユニット４Ｃを別の建物ユニット２Ｃの上部に設置する。
【００４４】
ここで、図１２〜図１７の建物１は、説明の都合上、上記したように建物ユニット２Ｂと別の建物ユニット２Ｃの上に、それぞれ第１の屋根ユニット４Ｂと第２の屋根ユニット４Ｃとを設置して、第１の屋根ユニット４Ｂと第２の屋根ユニット４Ｃで切妻屋根を構成するユニット建物６となっている。但し、屋根ユニット構造体２１が適用できる建物１は、上記構成のユニット建物６に限るものではない。
【００４５】
建築現場３に輸送された屋根ユニット構造体２１は、まず、屋根ユニット輸送用金具２４を取り外すことによって、第１の屋根ユニット４Ｂと第２の屋根パネル８Ｃとに分解される。
【００４６】
次に、建築現場３に設置された建物ユニット２Ｂへ第１の屋根ユニット４Ｂを設置する。建物ユニット２Ｂへの第１の屋根ユニット４Ｂの設置は、通常通りに行う。
【００４７】
そして、建築現場３に設置された建物ユニット２Ｃの上部で第２の屋根ユニット４Ｃを構築する。別の建物ユニット２Ｃの上部での、第２の屋根ユニット４Ｃの構築は、以下のように行う。
【００４８】
まず、図１２に示すように、一対の妻小壁１１をクレーンで吊上げて別の建物ユニット２Ｃの上部の妻側に建込む。妻小壁１１は、上枠１１ａと下枠１１ｂと縦材１１ｃとで構成された三角枠に、三角形状の面材１１ｄ（図１３（ａ））を取付けたものなどとなっている。そして、図１３（ａ）（ｂ）に示すように、妻小壁１１の下枠１１ｂをジョイントボルトやナットなどの締結具７２で別の建物ユニット２Ｃの妻壁７４などの上枠７４ａに固定する。
【００４９】
この際、図１３（ａ）に示すように、外壁側の妻小壁１１は、別の建物ユニット２Ｃの外壁７３と面（面材１１ｄ）を合わせるように位置調整する。また、図１３（ｂ）に示すように、内壁側の妻小壁１１は、別の建物ユニット２Ｃの上枠７４ａと下枠１１ｂとの合わせるように位置調整する。
【００５０】
次に、図１４（図１５）に示すように、（第２の屋根ユニット４Ｃのための）桁トラス１２（１２Ｃ）を第１の屋根ユニット４Ｂ（の桁トラス１２Ｂ）と（第２の屋根ユニット４Ｃのための）妻小壁１１との間に建込む。桁トラス１２は、上弦材１２ａと下弦材１２ｂと縦材１２ｃ（図１５）と斜材１２ｄとで構成された矩形枠状をしており、図１５に示すように、木ねじなどの固定具７５で妻小壁１１（の縦材１１ｃ）に縦材１２ｃを固定する。桁トラス１２（１２Ｃ）は、他の屋根ユニット４（例えば、第１の屋根ユニット４Ｂや他の屋根ユニット４）に仮固定しておいたものを外して使用する。
【００５１】
以上により、別の建物ユニット２Ｃの上部で小屋組部７が構築される。なお、妻小壁１１および桁トラス１２（１２Ｃ）は、桁トラス１２（１２Ｃ）を先に設置して妻小壁１１を後から設置するように組み立て手順を変更することも可能である。また、第２の屋根ユニット４Ｃの桁トラス１２（１２Ｃ）については、隣接する第１の屋根ユニット４Ｂにも桁トラス１２（１２Ｂ）があるため、状況によっては省略することも可能である。
【００５２】
最後に、図１６に示すように、第２の屋根パネル８Ｃをクレーンで吊上げて小屋組部７の上部に据付ける。
【００５３】
この際、図１７（ａ）（ｂ）に示すように、第２の屋根パネル８Ｃの妻小壁１１側の部分は、頭つなぎ材３７を、妻小壁１１の上枠１１ａにジョイントボルトなどの固定具７６を用いて接合する。この際、頭つなぎ材３７は、妻小壁１１の上枠１１ａの内側に面を合わせるように位置調整する。
【００５４】
図１７（ｃ）に示すように、第２の屋根パネル８Ｃの軒先側の部分は、桁構造材３８を、別の建物ユニット２Ｃの桁壁７７の上部にジョイントボルトなどの固定具７８を用いて接合する。
【００５５】
図１７（ｄ）に示すように、第２の屋根パネル８Ｃの桁トラス１２側の部分は、桁トラス１２の上弦材１２ａに対して木ねじなどの固定具７９で接合する。
【００５６】
以上により、別の建物ユニット２Ｃの上部で第２の屋根ユニット４Ｃが構築されると共に、別の建物ユニット２Ｃの上部に対して位置調整を行った状態で第２の屋根ユニット４Ｃが設置される。
【００５７】
＜作用効果＞この実施例によれば、以下のような作用効果を得ることができる。
【００５８】
予め工場で製造した建物ユニット２や屋根ユニット４を建築現場３へ輸送して、建築現場３で組み立てることにより、短期間で建物１（ユニット建物６）を構築することができる。
【００５９】
このようなユニット建物６では、建物本体を構成する複数の建物ユニット２や、屋根を構成する複数の屋根ユニット４を建築現場３へ効率的に輸送することが、ユニット建物６の工期の短縮やコストダウンなどを図る上で重要になる。
【００６０】
（Ａ）屋根ユニット構造体２１の作用効果
【００６１】
第１の屋根ユニット４Ｂと、第２の屋根ユニット４Ｃに用いる第２の屋根パネル８Ｃとを一体化して屋根ユニット構造体２１を形成するようにした。この屋根ユニット構造体２１を工場で製造することにより、第１の屋根ユニット４Ｂと第２の屋根パネル８Ｃは、コンパクトにまとめて効率的に輸送できる荷姿になる。これにより、第１の屋根ユニット４Ｂと第２の屋根ユニット４Ｃの主要部（第２の屋根パネル８Ｃ）とを１台のトラック６１でまとめて輸送できるようになるので、輸送効率が向上され、第１の屋根ユニット４Ｂと第２の屋根ユニット４Ｃとを２台のトラック６１に分けてそれぞれ別々に輸送する場合と比べて、使用するトラック６１の台数を削減して輸送の効率化を図ることができる。
【００６２】
なお、第２の屋根ユニット４Ｃの残りの小屋組部７については、第２の屋根パネル８Ｃほど大きな部材で構成されていないため、トラック６１に積み易い状態にして（例えば、妻小壁１１と桁トラス１２に分けて）トラック６１の空きペースを利用して輸送したり、他の屋根ユニット４（例えば、第１の屋根ユニット４Ｂやその他の屋根ユニット４など）に仮固定したりして輸送できるので、輸送上特に問題はない。
【００６３】
そして、側面視略三角形状の第１の屋根ユニット４Ｂと、第１の屋根パネル８Ｂ（の幅寸法Ｗ１）と同等の幅寸法Ｗ２を有する第２の屋根パネル８Ｃとを一体化することで、これまで一緒に輸送することが難しかった、大きさにあまり差のない複数の屋根ユニット４に対する輸送の問題をほぼ解消することができる。このような構造は、特に、２つの屋根ユニット４をそのまま組み合わせて一体化すると、トラック６１で運べる大きさの制限を越えて輸送できなくなってしまうような比較的大型の屋根ユニット４に対して有効である。
【００６４】
なお、２つの屋根ユニット４が、大きさに十分な差があるものどうしの場合には、幅寸法の大きい屋根ユニット４の内側に、幅寸法の小さい屋根ユニット４を入り込ませた状態にして２個同時に輸送することができるので、この実施例のように屋根ユニット構造体２１にして輸送する必要はない。また、２つの屋根ユニット４が共に十分に小型である場合には、そのまま上下方向に組み合わせてトラック６１で２個同時に輸送することができるので、この実施例のように屋根ユニット構造体２１にして輸送する必要はない。
【００６５】
この実施例では、大きさにあまり差のない（大型の）第１の屋根パネル８Ｂと第２の屋根パネル８Ｃとの間を屋根ユニット輸送用金具２４で一体に連結して屋根ユニット構造体２１にすることで、第１の屋根ユニット４Ｂと第２の屋根パネル８Ｃとが、一体に取り扱えるようになると共に、これらをラックなどの輸送用架台を用いずにトラック６１の荷台６２に直接乗せて一度に輸送できるようになる（但し、屋根ユニット構造体２１は、輸送用架台を用いてトラック６１に乗せて輸送するようにしても良い）。しかも、第１の屋根ユニット４Ｂも第２の屋根パネル８Ｃもユニット単位の大きさになっているので、建築現場３への輸送後の（建物１を構築する際の）取り扱いも容易である。
【００６６】
そして、第１の屋根パネル８Ｂの水上側の端部２２と第２の屋根パネル８Ｃの端部２３との位置を揃えて屋根ユニット輸送用金具２４で連結することにより、第１の屋根ユニット４Ｂと第２の屋根パネル８Ｃとを、第１の屋根ユニット４Ｂの水上側の辺を下にした起立姿勢にして自立させることができる。そのため、屋根ユニット構造体２１を起立姿勢で安定して輸送することが可能になる。
【００６７】
また、第１の屋根パネル８Ｂと第２の屋根パネル８Ｃとを平行に重ねて抱き合わせた状態にして屋根ユニット輸送用金具２４で連結することにより、第１の屋根ユニット４Ｂに対して最もコンパクトな状態で第２の屋根パネル８Ｃを連結した屋根ユニット構造体２１を作ることができる。
【００６８】
（Ｂ）屋根ユニット輸送用金具２４の作用効果
【００６９】
屋根ユニット輸送用金具２４を、ユニット側取付金具４１とパネル側取付金具４２，５５とで構成しても良い。これにより、簡単な構成で、大きさにあまり差のない第１の屋根パネル８Ｂと第２の屋根パネル８Ｃとを確実に連結して、一体化する（屋根ユニット構造体２１にする）ことができる。
【００７０】
この際、第１の屋根パネル８Ｂにユニット側取付金具４１を取付け、第２の屋根パネル８Ｃにパネル側取付金具４２，５５を取付けた状態で、第１の屋根パネル８Ｂに第２の屋根パネル８Ｃを重ねて、ユニット側取付金具４１とパネル側取付金具４２，５５とを連結（締結固定）することで、簡単に第１の屋根パネル８Ｂと第２の屋根パネル８Ｃとを一体化できるので、作業性が良い。
【００７１】
（Ｂ−２）そして、ユニット側取付金具４１とパネル側取付金具４２，５５との間には、位置決め部５１を設けても良い。これにより、第１の屋根パネル８Ｂの水上側の端部２２と第２の屋根パネル８Ｃの端部２３との位置を正確に揃えた状態で、第１の屋根パネル８Ｂと第２の屋根パネル８Ｃを容易且つ確実に一体化することができる。
【００７２】
（Ｂ−３）パネル側取付金具５５は、第１の屋根パネル８Ｂと第２の屋根パネル８Ｃとの幅寸法Ｗ１，Ｗ２の差を補完可能な補完部５６を備えても良い。これにより、第１の屋根パネル８Ｂと第２の屋根パネル８Ｃとの間に僅かな幅寸法Ｗ１，Ｗ２の差があっても、補完部５６が幅寸法Ｗ１，Ｗ２の差を補って支障なく第１の屋根パネル８Ｂに第２の屋根パネル８Ｃを連結することができる。
【００７３】
（Ｃ）屋根ユニット輸送方法の作用効果
【００７４】
第２の屋根パネル８Ｃを第１の屋根ユニット４Ｂと一体化した状態（屋根ユニット構造体２１）で、屋根ユニット構造体２１を起立姿勢にすることにより、第１の屋根ユニット４Ｂと第２の屋根パネル８Ｃをトラック６１の荷台６２に乗せて輸送することができる。
【００７５】
この際、第１の屋根パネル８Ｂと第２の屋根パネル８Ｃとを端部２２，２３の位置を揃えて屋根ユニット輸送用金具２４で一体に連結することにより、第１の屋根パネル８Ｂと第２の屋根パネル８Ｃとが起立姿勢で安定して自立できるようになるので、例えば、ラックなどの輸送用架台を用いずに直接トラック６１に乗せたり、簡単な輸送用架台を用いてトラック６１に乗せたりして一度に輸送することが可能になる。
【００７６】
（Ｄ）屋根施工方法の作用効果
【００７７】
建築現場３へ輸送された屋根ユニット構造体２１は、建築現場３で屋根ユニット輸送用金具２４を外すことで、簡単に第１の屋根ユニット４Ｂと第２の屋根パネル８Ｃとに分解できる。
【００７８】
そして、第１の屋根ユニット４Ｂは、建物ユニット２Ｂの上部に対して通常通りに設置することができる。また、第２の屋根パネル８Ｃは、別の建物ユニット２Ｃの上部で第２の屋根ユニット４Ｃとして完成させると共に、第２の屋根ユニット４Ｃを別の建物ユニット２Ｃの上部にそのまま設置することができる。
【００７９】
このように、建築現場３で第２の屋根ユニット４Ｃを構築しつつ別の建物ユニット２Ｃの上部に設置することで、第２の屋根ユニット４Ｃは、ユニットとしての品質や強度を確保できるものとなり、精度管理や位置調整なども通常の屋根ユニット４と同様にできるものとなる。第２の屋根ユニット４Ｃは、工場で予め構築された妻小壁１１や桁トラス１２などのパネルを組み合わせて小屋組部７を作り、小屋組部７の上に第２の屋根パネル８Ｃを取付けるだけで構築できるので、（別の建物ユニット２Ｃの上であっても）比較的短時間で完成させることができる。また、第２の屋根ユニット４Ｃは、別の建物ユニット２Ｃの上部で構築しながら位置調整を行ったり、構築してから位置調整を行ったりすることができる。
【００８０】
これにより、建物ユニット２Ｂや別の建物ユニット２Ｃなどの下側の建物本体の構造に影響を与えることなく、建物本体の上に屋根ユニット４をそれぞれ設置してユニット建物６を構築することができる。
【符号の説明】
【００８１】
１    建物
２    建物ユニット
２Ｂ  建物ユニット
２Ｃ  別の建物ユニット
３    建築現場
４    屋根ユニット
４Ｂ  第１の屋根ユニット
４Ｃ  第２の屋根ユニット
６    ユニット建物
７    小屋組部
８    屋根パネル
８Ｂ  第１の屋根パネル
８Ｃ  第２の屋根パネル
２１  屋根ユニット構造体
２２  水上側の端部
２３  端部
２４  屋根ユニット輸送用金具
４１  ユニット側取付金具
５１  位置決め部
５５  パネル側取付金具
５６  補完部
Ｗ１  幅寸法
Ｗ２  幅寸法
【図１】
2020016033.tif 000003
【図２】
2020016033.tif 000004
【図３】
2020016033.tif 000005
【図４】
2020016033.tif 000006
【図５】
2020016033.tif 000007
【図６】
2020016033.tif 000008
【図７】
2020016033.tif 000009
【図８】
2020016033.tif 000010
【図９】
2020016033.tif 000011
【図１０】
2020016033.tif 000012
【図１１】
2020016033.tif 000013
【図１２】
2020016033.tif 000014
【図１３】
2020016033.tif 000015
【図１４】
2020016033.tif 000016
【図１５】
2020016033.tif 000017
【図１６】
2020016033.tif 000018
【図１７】
2020016033.tif 000019